(57)【要約】      （修正有）【課題】スキャン電極とサステイン電極の間の電界不均一性を解決し、また蛍光体復帰特性の変化を減らし、さらにサステイン電圧の最高電圧の大きさを減らすことができるプラズマディスプレイ装置及びプラズマディスプレイ装置の駆動方法。【解決手段】プラズマディスプレイ装置は第１電極及び第２電極を含むプラズマディスプレイパネル、第１供給時点に第１極性の第１サステインパルスを第１電極に供給する第１電極駆動部及び第２供給時点に第１サステインパルスと重畳される第２極性の第２サステインパルスを第２電極に供給する第２電極駆動部を含み、正極性サステインパルスと負極性サステインパルスが重なるように供給することで、低い電圧でプラズマディスプレイパネルを駆動する。【選択図】図３
2007114787.tif 000002
【特許請求の範囲】
【請求項１】
第１電極及び第２電極を含むプラズマディスプレイパネルと、
第１供給時点に第１極性の第１サステインパルスを前記第１電極に供給する第１電極駆動部と、
第２供給時点に前記第１サステインパルスと重畳される第２極性の第２サステインパルスを前記第２電極に供給する第２電極駆動部と、を含むプラズマディスプレイ装置。
【請求項２】
前記第２供給時点は前記第１供給時点より早いことを特徴とする、請求項１記載のプラズマディスプレイ装置。
【請求項３】
第３電極及び前記第３電極を駆動する第３電極駆動部をさらに含み、
前記第１電極駆動部はリセット期間に第１電圧から第２電圧まで立ち下がる陰極性リセットパルスを供給して、
前記第３電極駆動部は前記リセット期間に第３電圧から第４電圧まで上昇する正極性パルスを供給することを特徴とする、請求項１記載のプラズマディスプレイ装置。
【請求項４】
前記第４電圧の電圧レベルは前記第３電極駆動部がアドレス期間に供給するデータパルスの最高電圧レベルと実質的に同じことを特徴とする、請求項３記載のプラズマディスプレイ装置。
【請求項５】
前記陰極性リセットパルスは前記第２電圧まで漸進的に立ち下がるセッダウンパルスを含むことを特徴とする、請求項３記載のプラズマディスプレイ装置。
【請求項６】
前記第１電極駆動部は第１電圧から第２電圧まで立ち下がるリセットパルスを供給した後、供給パルスを供給することを特徴とする、請求項1記載のプラズマディスプレイ装置。
【請求項７】
前記供給パルスの最高電圧の大きさはサステインパルスの最高電圧の大きさと実質的に同じことを特徴とする、請求項６記載のプラズマディスプレイ装置。
【請求項８】
前記供給パルスの最高電圧の極性は前記リセットパルスの最低電圧の極性と異なることを特徴とする、請求項６記載のプラズマディスプレイ装置。
【請求項９】
前記供給パルスの幅はサステインパルスの幅より小さなことを特徴とする、請求項６記載のプラズマディスプレイ装置。
【請求項１０】
前記第１供給時点と前記第２供給時点の間の時間差は前記第１サステインパルス幅または前記第２サステインパルス幅の０．５倍以下であることを特徴とする、請求項１記載のプラズマディスプレイ装置。
【請求項１１】
第１電極、第２電極及び第３電極を含むプラズマディスプレイ装置の駆動方法において、第１供給時点に第１極性の第１サステインパルスを前記第１電極に供給する段階と、
第２供給時点に前記第１サステインパルスと重畳される第２極性の第２サステインパルスを前記第２電極に供給する段階と、を含むプラズマディスプレイ装置の駆動方法。
【請求項１２】
前記第２供給時点は前記第１供給時点より早いことを特徴とする、請求項１１記載のプラズマディスプレイ装置。
【請求項１３】
リセット期間に第１電圧から第２電圧まで立ち下がる陰極性リセットパルスを前記第１電極に供給する段階と、
前記リセット期間に第３電圧から第４電圧まで上昇する正極性パルスを前記第３電極に供給する段階と、をさらに含むことを特徴とする、請求項１１記載のプラズマディスプレイ装置の駆動方法。
【請求項１４】
前記第４電圧の電圧レベルは前記第３電極に供給するデータパルスの最高電圧レベルと実質的に同じことを特徴とする、請求項１３記載のプラズマディスプレイ装置の駆動方法。
【請求項１５】
前記陰極性リセットパルスは前記第２電圧まで漸進的に立ち下がるセッダウンパルスを含むことを特徴とする、請求項１３記載のプラズマディスプレイ装置の駆動方法。
【請求項１６】
第１電圧から第２電圧まで立ち下がる陰極性リセットパルスを前記第１電極に供給する段階及び前記第１電極に供給パルスを供給する段階をさらに含むことを特徴とする、請求項１１記載のプラズマディスプレイ装置の駆動方法。
【請求項１７】
前記供給パルスの最高電圧の大きさはサステインパルスの最高電圧の大きさと実質的に同じことを特徴とする、請求項１６記載のプラズマディスプレイ装置の駆動方法。
【請求項１８】
前記供給パルスの最高電圧の極性は前記リセットパルスの最低電圧の極性と異なることを特徴とする、請求項１６記載のプラズマディスプレイ装置。
【請求項１９】
前記供給パルスの幅はサステインパルスの幅より小さなことを特徴とする、請求項１６記載のプラズマディスプレイ装置の駆動方法。
【発明の詳細な説明】
【技術分野】
【０００１】
本発明はプラズマディスプレイ装置及びプラズマディスプレイ装置の駆動方法に関する。
【背景技術】
【０００２】
プラズマディスプレイ装置は放電セル内に主放電気体と不活性ガスが充填されたプラズマディスプレイパネルを含む。高周波電圧がプラズマディスプレイパネルの電極に供給されれば、不活性ガスは真空紫外線（Ｖａｃｕｕｍ Ｕｌｔｒａｖｉｏｌｅｔ ｒａｙｓ）を発生して、真空紫外線はプラズマディスプレイパネルの隔壁の間に形成された蛍光体を発光させる。
【０００３】
プラズマディスプレイ装置はフレームを構成するサブフィールドごとに画像を表示する。 各サブフィールドは放電セルを初期化させるためのリセット期間、放電するセルを選択するためのアドレス期間及び放電回数によって階調を具現するサステイン期間を含む。
【０００４】
リセット期間のセットアップ期間にはスキャン電極にセットアップパルスが供給される。 セットアップパルスによって弱い暗放電（Ｄａｒｋ Ｄｉｓｃｈａｒｇｅ）が放電セルで起きる。セットアップパルスによる暗放電によってプラズマディスプレイパネルのアドレス電極とサステイン電極上には正極性壁電荷が積もって、スキャン電極上には負極性の壁電荷が積もる。
【０００５】
リセット期間のセッダウン期間にはスキャン電極にセッダウンパルスが供給される。セッダウンパルスによってスキャン電極に過度に形成された壁電荷の一部が消去されて、放電セルの壁電荷が均一になる。
【０００６】
アドレス期間にはスキャンパルスがスキャン電極に供給されてアドレス電極にデータパルスが供給される。スキャンパルスとデータパルスの電圧差とリセット期間に生成された壁電圧が加わることで放電セルが選択される。
【０００７】
サステイン期間にはスキャン電極とサステイン電極にサステインパルスが供給されて、 アドレス期間に選択された放電セルでサステイン放電が発生する。これによってプラズマディスプレイ装置は画像を表示する。
【０００８】
プラズマディスプレイ装置の駆動部はリセット期間、アドレス期間及びサステイン期間に駆動パルスをプラズマディスプレイパネルの電極で供給する。すなわち、駆動部はリセット期間のセットアップパルス及びセットダウンパルス、アドレス期間のデータパルス及びスキャンパルス、及びサステイン期間のサステインパルスを供給する。
【０００９】
プラズマディスプレイ装置の駆動部はスキャン電極及びサステイン電極に正極性のサステインパルスを交互に供給する。これによって正極性のサステインパルスが供給される電極を中心に電界が形成されるからスキャン電極とサステイン電極の間の電界分布が不均一に形成されて非正常的な放電が起きる可能性がある。
【００１０】
また正極性のサステインパルスがスキャン電極及びサステイン電極の内で一つの電極にだけ供給されるので陽電荷が蛍光体に衝突する可能性が大きくなる。これによって蛍光体の復帰特性の変わる問題点が発生する。すなわち、蛍光体はプラズマディスプレイパネル内部に充填された不活性ガスが放出する真空紫外線によって励起されてから復帰する過程で可視光線を放出する。陽電荷が蛍光体に衝突して蛍光体の劣化が進行されれば蛍光体が励起されてから復帰される特性が変わるので画質が悪くなる問題点が発生する。
【００１１】
また正極性のサステインパルスがスキャン電極及びサステイン電極の内で一つの電極にだけ供給されるのでサステインパルスの最高電圧が高電圧という問題点が発生する。
【発明の開示】
【発明が解決しようとする課題】
【００１２】
本発明の目的は、スキャン電極とサステイン電極の間の電界不均一性を解決することである。
【００１３】
本発明の他の目的は、蛍光体復帰特性の変化を減らすことができるプラズマディスプレイ装置及びプラズマディスプレイ装置の駆動方法を提供することにある。
【００１４】
本発明のまた他の目的は、サステイン電圧の最高電圧の大きさを減らすことができるプラズマディスプレイ装置及びプラズマディスプレイ装置の駆動方法を提供することにある。
【課題を解決するための手段】
【００１５】
本発明の実施形態によるプラズマディスプレイ装置は第１電極及び第２電極を含むプラズマディスプレイパネル、第１供給時点に第１極性の第１サステインパルスを前記第１電極に供給する第１電極駆動部及び第２供給時点に前記第１サステインパルスと重畳される第２極性の第２サステインパルスを前記第２電極に供給する第２電極駆動部を含む。
【００１６】
前記第２供給時点は前記第１供給時点より早いことがある。
【００１７】
第３電極及び前記第３電極を駆動する第３電極駆動部をさらに含み、前記第１電極駆動部はリセット期間に第１電圧から第２電圧まで立ち下がる陰極性リセットパルスを供給して、 前記第３電極駆動部は前記リセット期間に第３電圧から第４電圧まで上昇する正極性パルスを供給する。
【００１８】
前記第４電圧の電圧レベルは前記第３電極駆動部がアドレス期間に供給するデータパルスの最高電圧レベルと実質的に同じなことがある。
【００１９】
前記陰極性リセットパルスは前記第２電圧まで漸進的に立ち下がるセッダウンパルスを含むことができる。
【００２０】
前記第１電極駆動部は第１電圧から第２電圧まで立ち下がるリセットパルスを供給した後供給パルスを供給することができる。
【００２１】
前記供給パルスの最高電圧の大きさはサステインパルスの最高電圧の大きさと実質的に同じなことがある。
【００２２】
前記供給パルスの最高電圧の極性は前記リセットパルスの最低電圧の極性と異なることがある。
【００２３】
前記供給パルスの幅はサステインパルスの幅より小さいことがある。
【００２４】
前記第１供給時点と前記第２供給時点の間の時間差は第１サステインパルス幅または第２サステインパルス幅の０．５倍以下であることがある。
【００２５】
本発明の実施形態によるプラズマディスプレイ装置の駆動方法は第１供給時点に第１極性の第１サステインパルスを前記第１電極に供給する段階及び第２供給時点に前記第１サステインパルスと重畳される第２極性の第２サステインパルスを前記第２電極に供給する段階を含む。
【００２６】
前記第２供給時点は前記第１供給時点より早いことがある。
【００２７】
本発明の実施形態によるプラズマディスプレイ装置の駆動方法はリセット期間に第１電圧から第２電圧まで立ち下がる陰極性リセットパルスを前記第１電極に供給する段階と前記リセット期間に第３電圧から第４電圧まで上昇する正極性パルスを前記第３電極に供給する段階をさらに含むことができる。
【００２８】
前記第４電圧の電圧レベルは前記第３電極に供給するデータパルスの最高電圧レベルと実質的に同じなことがある。
【００２９】
前記陰極性リセットパルスは前記第２電圧まで漸進的に立ち下がるセッダウンパルスを含むことができる。
【００３０】
本発明の実施形態によるプラズマディスプレイ装置の駆動方法は第１電圧から第２電圧まで立ち下がる陰極性リセットパルスを前記第１電極に供給する段階及び前記第１電極に供給パルスを供給する段階をさらに含むことができる。
【００３１】
前記供給パルスの最高電圧の大きさはサステインパルスの最高電圧の大きさと実質的に同じなことがある。
【００３２】
前記供給パルスの最高電圧の極性は前記リセットパルスの最低電圧の極性と異なることがある。
【００３３】
前記供給パルスの幅はサステインパルスの幅より小さいことがある。
【発明の効果】
【００３４】
本発明は電界の分布を均一にさせて安定的なサステイン放電を起こすことができる。
【００３５】
本発明は蛍光体の復帰特性の変化を阻むことができる。
【００３６】
本発明は正極性サステインパルスと負極性サステインパルスが重なるように供給することで低い電圧でプラズマディスプレイパネルを駆動することができる。
【発明を実施するための最良の形態】
【００３７】
以下では本発明による具体的な実施形態を添付された図面を参照して説明する。
【００３８】
図１は本発明の実施形態によるプラズマディスプレイ装置を示すのである。 図１に示すように、プラズマディスプレイパネル１００、駆動パルス制御部１１０、アドレス電極駆動部１２０、スキャン電極駆動部１３０、サステイン電極駆動部１４０及び駆動電圧発生部１５０を含む。
【００３９】
プラズマディスプレイパネル１００はスキャン電極（Ｙ１乃至Ｙｎ）、サステイン電極（Ｚ）及びアドレス電極（Ｘ１乃至Ｘｍ）を含む。アドレス電極（Ｘ１乃至Ｘｍ）はスキャン電極（Ｙ１乃至Ｙｎ）及びサステイン電極（Ｚ）と交差する。
【００４０】
駆動パルス制御部１１０はアドレス電極駆動部１２０、スキャン電極駆動部１３０及びサステイン電極駆動部１４０が駆動パルスを供給するためのタイミング制御信号を出力する。
【００４１】
アドレス電極駆動部１２０は駆動パルス制御部１１０のタイミング制御信号の入力を受けて、プラズマディスプレイパネル１００に形成されたアドレス電極（Ｘ１乃至Ｘｍ）に映像信号に対応するデータパルスを供給する。 映像信号は、図示しないハーフトーニング部、 サブフィールドマッピング部及びサブフィールド整列部を通じてアドレス電極駆動部１２０に供給される。
【００４２】
スキャン電極駆動部１３０は駆動パルス制御部１１０のタイミング制御信号の入力を受けて、スキャン電極（Ｙ１乃至Ｙｎ）にリセットパルス、供給パルス、スキャンパルス及びサステインパルスを供給する。特に、スキャン電極駆動部１３０は第１供給時点に第１極性のサステインパルスをスキャン電極（Ｙ１乃至Ｙｎ）に供給する。
【００４３】
サステイン電極駆動部１４０は駆動パルス制御部１１０のタイミング制御信号の入力を受けて、サステイン電極（Ｚ）にバイアス電圧及びサステインパルスを供給する。特にサステイン電極駆動部１４０は第１供給時点より早い第２供給時点に第１サステインパルスと重畳される第２極性のサステインパルスをサステイン電極（Ｚ）に供給する。
【００４４】
例えば、スキャン電極駆動部１３０が正極性のサステインパルスを供給すれば、サステイン電極駆動部１４０は正極性のサステインパルスと重畳されるように負極性のサステインパルスを供給することができる。また、スキャン電極駆動部１３０が負極性のサステインパルスを供給すれば、サステイン電極駆動部１４０は負極性のサステインパルスと重畳されるように正極性のサステインパルスを供給することができる。
【００４５】
スキャン電極駆動部１３０及びサステイン電極駆動部１４０の動作に対する詳細な説明は図２と図３を参照して詳しく説明する。
【００４６】
駆動電圧発生部１５０は、リセット電圧（−Ｖｓｅｔ）、スキャン電圧（−Ｖｙ）、サステイン電圧（Ｖｓ／２、−Ｖｓ／２）及びデータ電圧（Ｖｄ）を供給する。リセット電圧（−Ｖｓｅｔ）はリセットパルスの最低電圧で、スキャン電圧（−Ｖｙ）はスキャンパルスの最低電圧であり、正極性サステイン電圧（Ｖｓ／２）は正極性のサステインパルスの最高電圧で、負極性サステイン電圧（−Ｖｓ／２）は負極性のサステインパルスの最低電圧である。
【００４７】
図２と図３を参照して本発明の実施形態によるプラズマディスプレイ装置の動作を詳しく説明する。
【００４８】
図２は本発明の実施形態によるプラズマディスプレイ装置の駆動信号を示すのである。
【００４９】
スキャン電極駆動部１２０はリセット期間にグラウンドレベルの電圧（ＧＮＤ）からリセット電圧（−Ｖｓｅｔ）まで立ち下がる陰極性リセットパルスをスキャン電極（Ｙ）に供給する。例えば、スキャン電極駆動部１２０は負極性サステイン電圧（−Ｖｓ／２）からリセット電圧（−Ｖｓｅｔ）まで漸進的に立ち下がるセッダウンパルスを含むリセットパルスを供給することができる。
【００５０】
またアドレス電極駆動部１２０はリセット期間にグラウンドレベルの電圧（ＧＮＤ）から所定電圧（Ｖ４）まで上昇する正極性パルスをアドレス電極（Ｘ）に供給する。アドレス電極駆動部１２０によって供給される所定電圧（Ｖ４）の大きさはアドレス電極駆動部１２０がアドレス期間に供給するデータパルスのデータ電圧（Ｖｄ）の大きさと実質的に同じことがある。所定電圧（Ｖ４）の大きさとデータ電圧（Ｖｄ）の大きさが実質的に同じならば、アドレス電極駆動部１２０の構成が簡単になることができる。
【００５１】
このようにリセット期間に陰極性のリセットパルスと所定電圧（Ｖ４）が供給されれば、 陽電荷による蛍光体の損傷を防止しながらもプラズマディスプレイパネルの放電セルに形成された壁電荷を充分に形成する。
【００５２】
スキャン電極駆動部１３０はリセットパルスを供給した後供給パルス（ＳＰ）をスキャン電極（Ｙ）に供給する。アドレス電極駆動部１２０及びサステイン電極駆動部１４０は供給パルス（ＳＰ）が印加されるうちにグラウンドレベルの電圧（ＧＮＤ）をアドレス電極（Ｘ）及びサステイン電極（Ｚ）それぞれに供給する。これによってスキャン電極（Ｙ） 上に形成された陽電荷が一定量消去されて安定的なアドレッシンをするための壁電荷状態を形成する。陽電荷の消去のために供給パルス（ＳＰ）の幅（Ｗ１）はサステインパルスの幅（Ｗ２）より小さいことがある。スキャン電極駆動部１３０の回路構成を簡単にするために供給パルス（ＳＰ）の最高電圧は正極性サステインパルス（ＳＵＳ１＋、ＳＵＳ２＋）の最高電圧と実質的に同じことがある。
【００５３】
スキャン電極駆動部１３０はアドレス期間にスキャン電圧（−Ｖｙ）まで立ち下がるスキャンパルスを各スキャン電極（Ｙ）に順次に供給して、アドレス電極駆動部１２０はスキャンパルスに同期してデータ電圧（Ｖｄ）まで上昇するデータパルスをアドレス電極（Ｘ）に供給する。これによってサステイン期間にサステイン放電が起きる放電セルが選択される。サステイン電極駆動部１４０はアドレス期間にバイアス電圧（Ｖｚ）をサステイン電極（Ｚ）に供給することでスキャン電極（Ｙ）とアドレス電極（Ｘ）の間の対向放電がなだらかに成るようにする。
【００５４】
放電セルに対するアドレッシンが終わればスキャン電極駆動部１３０とサステイン電極駆動部１４０は正極性サステインパルスまたは負極性サステインパルスを供給する。
【００５５】
図３は本発明の実施形態によるプラズマディスプレイ装置のサステインパルスを詳らかに示すのである。
【００５６】
スキャン電極駆動部１３０はサステイン期間の第１供給時点（ｔ１）で正極性サステインパルス（ＳＵＳ１＋）を供給して、サステイン電極駆動部１４０は第１供給時点（ｔ１）より早い第２供給時点（ｔ２）で負極性サステインパルス（ＳＵＳ１−）を供給する。この時サステイン電極駆動部１４０は正極性サステインパルス（ＳＵＳ１＋）と重畳されるように負極性サステインパルス（ＳＵＳ１−）を供給する。スキャン電極（Ｙ）とサステイン電極（Ｚ）にそれぞれ正極性サステインパルス（ＳＵＳ１＋）と負極性サステインパルス（ＳＵＳ１−）が供給されることによって、スキャン電極（Ｙ）とサステイン電極（Ｚ）の間の電圧差はＶｓになる。これによってアドレス期間に選択された放電セルでサステイン放電が起きる。
【００５７】
スキャン電極駆動部１３０はサステイン期間で負極性サステインパルス（ＳＵＳ２−）を供給して、サステイン電極駆動部１４０は正極性サステインパルス（ＳＵＳ２＋）を供給する。この時サステイン電極駆動部１４０は負極性サステインパルス（ＳＵＳ２−）と重畳されるように正極性サステインパルス（ＳＵＳ２＋）を供給する。スキャン電極（Ｙ）とサステイン電極（Ｚ）にそれぞれ負極性サステインパルス（ＳＵＳ２−）と正極性サステインパルス（ＳＵＳ２＋）が供給されることによって、スキャン電極（Ｙ）とサステイン電極（Ｚ）の間の電圧差はＶｓになる。これによってアドレス期間に選択された放電セルでサステイン放電が起きる。この時正極性サステインパルス（ＳＵＳ２＋）が供給される時点は負極性サステインパルス（ＳＵＳ２−）が供給される時点より早い。
【００５８】
このように正極性のサステインパルスと負極性のサステインパルスがお互いに重畳されるようにスキャン電極（Ｙ）及びサステイン電極（Ｚ）に供給されることでスキャン電極とサステイン電極の間の電界分布が均一に形成される。すなわち、サステインパルスがスキャン電極またはサステイン電極に交互に供給されれば電界がスキャン電極またはサステイン電極中心に形成されるが正極性のサステインパルスと負極性のサステインパルスがお互いに重畳されるようにスキャン電極（Ｙ）及びサステイン電極（Ｚ）に供給されるのでスキャン電極（Ｙ）とサステイン電極（Ｚ）の間の電界分布が均一に形成される。このような均一な電界分布によって安定的なサステイン放電が起きる。
【００５９】
また、 正極性のサステインパルスが供給される時負極性のサステインパルスが供給されるので陽電荷がスキャン電極またはサステイン電極上に形成される。これによって陽電荷が蛍光体と衝突する可能性が減る。例えば、図４に示すように、スキャン電極（Ｙ）に正極性サステインパルスが供給されてサステイン電極（Ｚ）に負極性サステインパルスが供給されれば、スキャン電極（Ｙ）上に陰電荷が形成されてサステイン電極（Ｚ）上に陽電荷が形成される。これによって陽電荷が蛍光体（ＰＨ）と衝突する可能性が減りますから蛍光体の損傷が減って蛍光体復帰特性の変化を阻むことができる。すなわち、蛍光体は不活性ガスが放出する真空紫外線によって励起されてから復帰する過程で可視光線を放出する。陽電荷が蛍光体に衝突して蛍光体の劣化が進行されれば蛍光体が励起されてから復帰される特性が変わるので画質が悪くなる。正極性のサステインパルスが供給される時負極性のサステインパルスが供給されれば陽電荷が蛍光体を劣化させる可能性が小くなるので蛍光体の復帰特性の変化を阻むことができる。
【００６０】
また図３に示すように、サステイン電極（Ｚ）に供給されるサステインパルス（ＳＵＳ１−、 ＳＵＳ２＋）がスキャン電極（Ｙ）に供給されるサステインパルス（ＳＵＳ１＋、 ＳＵＳ２−）より先に供給されるので放電セルの空間電荷が増加する。例えば、負極性サステインパルス（ＳＵＳ１−）がサステイン電極（Ｚ）に供給される時点（ｔ２）から正極性サステインパルス（ＳＵＳ１＋）がスキャン電極（Ｙ）に供給される時点（ｔ１）の間にサステイン電極（Ｚ）に Ｖｓ/２が供給されて、スキャン電極（Ｙ）にグラウンドレベルの電圧（ＧＮＤ）が供給される。これによって放電セル内部空間に陰電荷が増加する。 時点ｔ２以後正極性サステインパルス（ＳＵＳ１＋）と負極性サステインパルス（ＳＵＳ１−）が重畳すればサステイン放電に寄与する電荷量が大きくなってスキャン電極とサステイン電極の間の電界が均一に分布するので蛍光体復帰特性の変化を阻むことができるだけでなくサステイン放電の効率を増加させる。
【００６１】
第１供給時点（ｔ１）と第２供給時点（ｔ２）の間の時間差は正極性サステインパルスの幅（Ｗ２）または負極性サステインパルスの幅（Ｗ２）の０．５倍以下であることがある。このような場合安定的なサステイン放電が成り立ちながらも蛍光体復帰特性の変化を阻むことができるしサステイン放電の効率を増加させることができる。
【００６２】
図５は本発明の実施形態によるプラズマディスプレイ装置の駆動信号の他の例を示すのである。図３ではサステイン電極に供給されるサステインパルスがスキャン電極に供給されるサステインパルスより先に供給されたが、図５ではスキャン電極に供給されるサステインパルス（ＳＵＳ１＋、ＳＵＳ２−）がサステイン電極に供給されるサステインパルス（ＳＵＳ１−、ＳＵＳ２＋）より先に供給される。例えば、正極性サステインパルス（ＳＵＳ１＋）がスキャン電極（Ｙ）に供給される時サステイン電極（Ｚ）にグラウンドレベルの電圧（ＧＮＤ）が供給されるので放電セル内部空間に陰電荷が増加する。時点ｔ１以後正極性サステインパルス（ＳＵＳ１＋）と負極性サステインパルス（ＳＵＳ１−）が重畳すればサステイン放電に寄与する電荷量が大きくなってスキャン電極とサステイン電極の間の電界が均一に分布するので蛍光体復帰特性の変化を阻むことができるだけでなくサステイン放電の効率を増加させる。
【図面の簡単な説明】
【００６３】
【図１】本発明の実施形態によるプラズマディスプレイ装置を示す図。
【図２】本発明の実施形態によるプラズマディスプレイ装置の駆動信号の一例を示す図。
【図３】本発明の実施形態によるプラズマディスプレイ装置のサステインパルスを詳らかに示す図。
【図４】プラズマディスプレイパネルの断面図。
【図５】本発明の実施形態によるプラズマディスプレイ装置の駆動信号の他の例を示す図。
【図１】
2007114787.tif 000003
【図２】
2007114787.tif 000004
【図３】
2007114787.tif 000005
【図４】
2007114787.tif 000006
【図５】
2007114787.tif 000007